(57)【要約】  【課題】  ビニールハウス又はこれに類似な簡易構造物の出入り口に横引き戸あるいは観音開き戸などとして使用されるドア構造体を提供する。  【解決手段】  ドア構造体において、シート止着溝を備えた縦枠材と横枠材とを各々のシート止着溝が共通の片面に向く配置で縦・横に組み合わせ接合部を緊結して矩形状のドア外周枠を形成し、前記外周枠の面内に同じくシート止着溝を備えた縦桟と横桟を各々のシート止着溝が外周枠と同じ向きにくるように配置して、且つ十字形状に交差させて組み込み相互の接合部を緊結すると共に外周枠との接合部も緊結し、前記の各シート止着溝を利用して外周枠の枠面を遮蔽する被覆を止着可能に構成している。【選択図】  図１
0003110721.tif 000002
【実用新案登録請求の範囲】
【請求項１】
ビニールハウスなどの簡易構造物に使用するドア構造体において、
シート止着溝を備えた縦枠材と横枠材とを各々のシート止着溝が共通の片面に向く配置で縦・横に組み合わせ接合部を緊結して矩形状のドア外周枠が形成されており、前記外周枠の面内に同じくシート止着溝を備えた縦桟と横桟が各々のシート止着溝を外周枠と同じ向きに配置して、且つ十字形状に交差させて組み込まれ相互の接合部が緊結されていると共に外周枠との接合部も緊結されており、前記の各シート止着溝を利用して外周枠の枠面を遮蔽する被覆シートを止着可能に構成されていることを特徴とする、ビニールハウス等のドア構造体。
【請求項２】
ドア外周枠を形成する縦枠材と横枠材との四隅の接合部は、縦枠材におけるシート止着溝の片側に同シート止着溝の裏面と略同じレベルで平坦に形成された棚部へ、横枠材におけるシート止着溝の裏面および同裏面と略同じレベルで平坦に形成された棚部が重ね合わされ、両材の前記重合部が緊結されていること、
ドア外周枠を形成する横枠材と縦桟との接合部は、横枠材が備えるシート止着溝の裏面および同裏面と略同じレベルで平坦に形成された棚部へ、縦桟におけるシート止着溝の口縁から両外方へ平坦に形成された前面壁が重ね合わされ、両材の前記重合部が緊結されていること、
縦桟と横桟とが十字形状に交差する接合部は、縦桟におけるシート止着溝の口縁から両外方へ平坦に形成された前面壁が、横桟におけるシート止着溝の裏面および同裏面と略同じレベルで平坦に形成された棚部へそれぞれ重ね合わされ、両材の前記重合部が緊結されていること、
縦枠材と横桟との接合部は、縦枠材におけるシート止着溝の片側に前記シート止着溝の裏面と略同じレベルで平坦に形成された棚部へ、横桟におけるシート止着溝の裏面および同裏面と略同じレベルで平坦に形成された棚部が重ね合わされ、両材の前記重合部が緊結されていることを特徴とする、請求項１に記載したビニールハウス等のドア構造体。
【請求項３】
ドア外周枠の面内に、縦桟又は横桟のいずれか一方又は双方がそれぞれ少なくとも１本以上組み込まれていることを特徴とする、請求項１又は２に記載したビニールハウス等のドア構造体。
【考案の詳細な説明】
【技術分野】
【０００１】
この考案は、いわゆるビニールハウス又はこれに類似な簡易構造物の出入り口に横引き戸或いは観音開き戸などとして使用されるドア構造体の技術分野に属する。
【背景技術】
【０００２】
ビニールハウスの出入り口には、一例として図７及び図８に横引き戸（スライドドア）の例を示したように、出入り口の上下の口縁に沿って水平方向にドアレール１、２を十分に長く配設しハウスフレーム材９へ固定した上で、ドア構造体３を、その上部は吊り型の戸車４、４を上側のドアレール１に使用したリップ溝形鋼（Ｃ鋼）のリップ部１ａへ吊り掛けて支持させ、下部は下側のドアレール２に使用したリップ溝形鋼の溝２ａ内へ挿入して横移動を案内させる構成で実施されている。図７は２枚の横引き戸による出入り口の開閉構造の例を示している。
なお、上記の如きドア構造体は、下記の特許文献１〜３にそれぞれ開示されている。
【０００３】
【特許文献１】特許第３１７４９０１号公報
【特許文献２】特許第３４８２４９３号公報
【特許文献３】特許第３６０８１２２号公報
【考案の開示】
【考案が解決しようとする課題】
【０００４】
従来、ビニールハウスなどのドア構造体３は、図８に示したように、シート止着溝を備えた左右の縦枠材３ａ、３ａと上下の横枠材３ｂ、３ｂとを各々の前記シート止着溝が共通の片面に向く配置に組み合わせ、四隅の接合位置をボルト止め等の手段で強固に緊結して矩形状のドア外周枠が形成されている。前記外周枠の面内には、同じくシート止着溝を備えた複数本の横桟３ｃが、各々のシート止着溝を外周枠と同じ向きとなるように配置され、且つ上下方向に一定の間隔をあけて平行に配置して外周枠との接合部が緊結されている。そして、図７に示すように前記各構成材３ａ、３ｂ、３ｃそれぞれのシート止着溝を利用して、外周枠の枠面を遮蔽する被覆シート５（軟質又は硬質フィルム）を弾性な波形状の止め線６で止着した構成とされている。
【０００５】
しかし、従来のドア構造体３は、上記の縦枠材３ａと横枠材３ｂおよび横桟３ｃとしてかなり大きな断面で剛強な形鋼材を使用しているにも拘わらず、開閉操作時にはドア構造体３が菱形状に変形しやすい。そのため上下のドアレール１、２に沿って移動させるドアの開閉動作がギクシャクとして不調に陥りやすく、開け閉めが面倒で、使いづらいと言う問題点が指摘されている。この問題点は横引き戸にかぎらず、観音開き戸の場合にも共通している。
【０００６】
その原因として考えられることは要するに、従来のドア構造体３は、上記したように、完全な平行四辺形リンク構造であるため、各構成材３ａ、３ｂ、３ｃの接合部をボルト止め等の手段で緊結した程度では所詮ピン接合の域を出ず、菱形状の変形を阻止することは難しい。しかも各構成材にかなり大きな断面の剛強な形鋼材を使用しているためにドア重量が大重量となり、開閉操作の抵抗も大きくなってしまう。そこで前記抵抗力に打ち勝つ大きな力で開閉すると、ドア構造体３の変形を否めないのが実情である。
他方、ビニールハウスなどの簡易構造物は、前記ドア構造体３の大きな重量や風荷重を繰り返し受けることにより、経時的にクリープ変形を生じやすく、上下のドアレール１、２にも変形や歪みを生じ、ドア構造体の開閉動作がギクシャクとして不調に陥りやすくなることも原因の一つと考えられる。
【０００７】
従来の平行四辺形リンク構造のドア構造体が変形し易い欠点を解決する手段として、平行四辺形リンク構造を解消すれば良いことに着眼しても、ドア構造体の各構成材３ａ、３ｂ、３ｃには大きな断面の剛強な形鋼材を使用している。しかも各構成材３ａ、３ｂ、３ｃはそのシート止着溝を利用して外周枠の枠面を遮蔽する被覆シート５を弾性な波形状の止め線６で止着するためほぼ一平面の配置としなければならない条件を考慮すると、前記問題の解決を図ることは容易でなかった。
【０００８】
本考案の目的は、平行四辺形リンク構造を解消したドア構造体を提供することである。更に云えば、ドア構造体の各構成材を可及的に小さな断面の軽量材で構成でき、もってドア構造体の重量を軽減して、ビニールハウスなどの簡易構造物への荷重負担を小さくすると共に開閉操作を容易にできる、ビニールハウス等のドア構造体を提供することである。
【課題を解決するための手段】
【０００９】
上述した従来技術の課題を解決するための手段として、請求項１に記載した考案に係るビニールハウス等のドア構造体は、
ビニールハウスなどの簡易構造物に使用するドア構造体において、
シート止着溝３３を備えた縦枠材３Ａと横枠材３Ｂとを各々のシート止着溝３３が共通の片面に向く配置で縦・横に組み合わせ接合部を緊結して矩形状のドア外周枠が形成されており、前記外周枠の面内に同じくシート止着溝３３を備えた縦桟３Ｄと横桟３Ｃが各々のシート止着溝３３を外周枠と同じ向きに配置して、且つ十字形状に交差させて組み込まれ相互の接合部が緊結されていると共に外周枠との接合部も緊結されており、前記の各シート止着溝３３を利用して外周枠の枠面を遮蔽する被覆シート５を止着可能に構成されていることを特徴とする。
【００１０】
請求項２に記載した考案は、請求項１に記載したビニールハウス等のドア構造体において、
ドア外周枠を形成する縦枠材３Ａと横枠材３Ｂとの四隅の接合部は、縦枠材３Ａのシート止着溝３３の片側に同じシート止着溝の裏面３３ａと略同じレベルで平坦に形成された棚部３５へ、横枠材３Ｂにおけるシート止着溝３３の裏面３３ａおよび同裏面３３ａと略同じレベルで平坦に形成された棚部３５が重ね合わされ、両材の前記重合部が緊結されていること、
ドア外周枠を形成する横枠材３Ｂと縦桟３Ｄとの接合部は、横枠材３Ｂが備えるシート止着溝３３の裏面３３ａおよび同裏面と略同じレベルで平坦に形成された棚部３５へ、縦桟３Ｄにおけるシート止着溝３３の口縁から両外方へ平坦に形成された前面壁３７が重ね合わされ、両材の前記重合部が緊結されていること、
縦桟３Ｄと横桟３Ｃとが十字形状に交差する接合部は、縦桟３Ｄにおけるシート止着溝３３の口縁から両外方へ平坦に形成された前面壁３７が、横桟３Ｃにおけるシート止着溝３３の裏面３３ａおよび同裏面と略同じレベルで平坦に形成された棚部３５へそれぞれ重ね合わされ、両材の前記重合部が緊結されていること、
縦枠材３Ａと横桟３Ｃとの接合部は、縦枠材３Ａのシート止着溝３３の片側に前記シート止着溝３３の裏面３３ａと略同じレベルで平坦に形成された棚部３５へ、横桟３Ｃにおけるシート止着溝３３の裏面３３ａおよび同裏面３３ａと略同じレベルで平坦に形成された棚部３５が重ね合わされ、両材の前記重合部が緊結されていることを特徴とする。
【００１１】
請求項３に記載した考案は、請求項１又は２に記載したビニールハウス等のドア構造体において、
ドア外周枠の面内に、縦桟３Ｄ又は横桟３Ｃのいずれか一方又は双方がそれぞれ少なくとも１本以上組み込まれていることを特徴とする。
【考案の効果】
【００１２】
本考案のドア構造体３０は、図１に示すように、シート止着溝３３を備えた縦枠材３Ａと横枠材３Ｂとを各々のシート止着溝３３が共通の片面に向く配置に組み合わせ両材の接合部を緊結して矩形状のドア外周枠を形成し、前記外周枠の面内に、同じくシート止着溝３３を備えた縦桟３Ｄと横桟３Ｃを各々のシート止着溝３３が外周枠と同じ向きに配置し、且つ両材を十字形状に交差させて組み込み相互の接合部を緊結し、且つ外周枠との接合部も緊結して、いわゆる平行四辺形リンク構造を解消し、「田の字形」の枠組み構造を実現しているので、各構成材３Ａ、３Ｂ、３Ｃ及び３Ｄの各接合部をボルト止め等の手段で緊結した程度のいわゆるピン構造であっても、構造的に外力による変形に強く抵抗する拘束リンク構造であるから、変形の懸念は殆ど無い。
よって、図８に示す従来例の横桟３ｃは１本に減らすことも可能であり、構成材の節約、および緊結箇所数を減らして組み立て作業の省力化を図ることができる。
【００１３】
上記のように縦桟３Ｄを配置したので、外周枠の上下辺を形成する横枠材３Ｂの撓みを抑制する効果に優れ、風圧に対する強度及び剛性が大きく向上するので、幅広型ドアでも構造的な安定性を得やすい。また、外周枠の直角度を出しやすく、それを容易に維持できる。
その結果、ドア構造体３０の構成材３Ａ、３Ｂ、３Ｃおよび３Ｄは、可及的に断面形状が小さく軽量な材料を使用することが可能であり、その分軽量で安価なドア構造体３０を提供でき、これを組み立て、運搬、および取り付ける作業を容易に出来る。当該ドア構造体３０が適用される簡易構造物の荷重負担を軽減でき、開閉操作の容易なドアを提供できる。
【考案を実施するための最良の形態】
【００１４】
シート止着溝３３を備えた縦枠材３Ａと横枠材３Ｂとを各々のシート止着溝３３が共通の片面に向く配置で縦・横に組み合わせ、各接合部を緊結して矩形状のドア外周枠を形成する。前記外周枠の面内に、同じくシート止着溝３３を備えた縦桟３Ｄと横桟３Ｃを各々のシート止着溝３３を外周枠と同じ向きに配置して、且つ十字形状に交差させて組み込み相互の接合部を緊結し、外周枠との接合部も緊結する。そして、前記の各シート止着溝３３を利用して外周枠の枠面を遮蔽する被覆シート５を止着可能に構成する。
【実施例１】
【００１５】
図１にドア構造体３０の実施例を立面図で示し、図２〜図５に各接合部II〜Ｖの詳細な構造を示している。
図示したドア構造体３０は、シート止着溝３３を備えてドア外周枠を形成する左右の縦枠材３Ａ、３Ａと上下の横枠材３Ｂ、３Ｂが、各々の前記シート止着溝３３が共通の片面に向かって開口する配置に組み合わされ、各々の接合部を緊結して矩形状のドア外周枠が形成されている。
ドア外周枠の四隅の具体的な接合構造を図２に示す。一例として帯鋼材をロールフォーミングにより屈曲成形して成る縦枠材３Ａは、そのシート止着溝３３の片側に形成された直角辺３６がドア外周枠の外周面を形成する向きに使用され、前記シート止着溝３３の反対側にシート止着溝３３の裏面３３ａと略同レベルで平坦に形成された棚部３５の外面へ、横枠材３Ｂにおけるシート止着溝３３の裏面３３ａおよび該裏面と略同レベルで平坦に形成された棚部３５が重ね合わされ、両材の前記重合部が２本のボルト８で強固に緊結されている。図示した実施例の場合、ボルト８は縦枠材３Ａの棚部３５に打ち出し成形されたバーリング加工部７に雌ねじ加工を施して締結されている。しかし、ナットを使用した締結、あるいはビスやリベット止め、スポット溶接の緊結を実施しても良い。
なお、図２に示す縦枠材３Ａと横枠材３Ｂは略同じ形態である場合を示し、横枠材３Ｂのシート止着溝３３の片側に形成された直角辺３６は、縦枠材３Ａにおける前記棚部３５の上端にほぼ接してドア外周枠の外周面を形成する向きに使用されている。
図示することは省略したが、本実施例のドア構造体３０を横引き戸として使用する場合は、横枠材３Ｂの前記直角辺３６の上に戸車が取り付けられる（上記特許文献１、３の図１参照）。
【００１６】
上記の様に左右の縦枠材３Ａ、３Ａと上下の横枠材３Ｂ、３Ｂとで形成されたドア外周枠の面内に、やはりシート止着溝３３を備えた縦桟３Ｄと横桟３Ｃが各々のシート止着溝３３をドア外周枠と同じ向きに配置して、且つ十字形状に交差させて組み込まれ相互の接合部が緊結されている共にドア外周枠との接合部も緊結されている。
具体的には、図３に横枠材３Ｂと縦桟３Ｄとの接合構造を示した。上記構成の横枠材３Ｂが備えるシート止着溝３３の裏面３３ａおよび同裏面と略同じレベルでシート止着溝３３の片側に平坦に形成された棚部３５の裏面へ、縦桟３Ｄにおけるシート止着溝３３の口縁から両外方へ平坦に形成された前面壁３７が重ね合わされ、両材の前記重合部の左右２箇所がボルト８で強固に緊結されている。この場合にも、ボルト８は横枠材３Ｂの棚部３５に成形したバーリング加工部７へ施した雌ねじ部へねじ込んで締結した実施例を示しているが、ナットを使用しても良い。或いはビスやリベット止め、スポット溶接止めを実施しても良い。
図３の場合、縦桟３Ｄの上端は、横枠材３Ｂにおいて前記シート止着溝３３の他側に形成された直角辺３６の下面に当たる配置とされている。縦桟３Ｄは、シート止着溝３３の両側の前面壁３７、３７から背後方向へほぼ直角に屈曲された直角辺３８をほぼ対称形に設けた形態とされている。図示した縦桟３Ｄは、アルミニュームの押し出し成形品である場合を示している。
【００１７】
縦桟３Ｄと横桟３Ｃとを十字形状に交差させて接合する構造を図４に示した。縦桟３Ｄにおけるシート止着溝３３の口縁から両外方へ平坦に形成された前面壁３７が、横桟３Ｃにおけるシート止着溝３３の裏面３３ａおよび同裏面と略同じレベルでシート止着溝３３の片側に平坦に形成された棚部３５の裏面へ重ね合わされ、両材の前記重合部の左右２箇所がボルト８で強固に緊結されている。図４の場合もボルト８は横桟３Ｃの棚部３５に成形したバーリング加工部７の雌ねじ孔へねじ込み締結されているが、この限りではない。横桟３Ｃには、便宜上、上記外周枠の形成に使用した横枠材３Ｂと同一材が同じ配置態様で使用されている。そして、横桟３Ｃには、縦桟３Ｄにおける前面壁３７が、横桟３Ｃにおけるシート止着溝３３の裏面３３ａおよび該裏面と略同レベルで形成された棚部３５の裏面へ重ね合わせる上で障害となる直角辺３６において、障害となる部分に矩形状の欠き込み４０を形成して前記の緊結が行われている。    
【００１８】
次に、上記横桟３Ｃと縦枠材３Ａとの接合構造を図５に示した。縦枠材３Ａのシート止着溝３３の一側にシート止着溝３３の裏面３３ａと略同じレベルで平坦に形成された棚部３５の外面へ、横桟３Ｃにおけるシート止着溝３３の裏面３３ａおよび同裏面と略同じレベルで平坦に形成された棚部３５が重ね合わされ、両材の前記重合部が２本のボルト８で強固に緊結されている。この場合も、ボルト８は縦枠材３Ａの棚部３５に成形されたバーリング加工部７の雌ねじへねじ込み締結されているが、この限りではない。横桟３Ｃにおいて、縦枠材３Ａとの重合に障害となる直角辺３６は、障害となる部分４１を切除した構成とされている。
【００１９】
上記のようにしてドア構造体３０の枠組みが完成した後に、各構成材３Ａから３Ｄの各シート止着溝３３を利用して、外周枠の枠面を遮蔽する被覆シート５が弾性な止め線６を用いて止着することができる。
【実施例２】
【００２０】
なお、ドア構造体の異なる構成の実施例として、図６には上下方向の縦寸法（せい）が高く、３本の横桟３Ｃが一定の間隔をあけてそれぞれ平行に組み込まれたドア構造体を示している。逆に、左右方向の幅寸法が広い場合には、少なくとも２本以上の縦桟３Ｄを一定の間隔をあけてそれぞれ平行に組み込んだ構成のドア構造体を実施することができる。
上記のように本考案のドア構造体は、形状や大きさ、使用条件に応じて、ドア外周枠を形成する縦桟３Ｄ又は横桟３Ｃのいずれか一方又は双方をそれぞれ少なくとも１本以上組み込んで実施することができる。
【００２１】
以上に本考案を図示した実施例に基づいて説明したが、この限りではない。本考案の要旨、目的を逸脱しない範囲で、いわゆる当業者が通常行う設計変更や応用、変形として更に広く実施することができる。
【図面の簡単な説明】
【００２２】
【図１】本考案に係るドア構造体の実施例１を示した立面図である。
【図２】図１中II部の接合構造を示した斜視図である。
【図３】図１中III部の接合構造を示した斜視図である。
【図４】図１中IV部の接合構造を示した斜視図である。
【図５】図１中Ｖ部の接合構造を示した斜視図である。
【図６】本考案に係るドア構造体の実施例２を示した立面図である。
【図７】ビニールハウスの出入り口部分を示した斜視図である。
【図８】従来のドア構造体一例を示した斜視図である。
【符号の説明】
【００２３】
３０、３１  ドア構造体
３３        シート止着溝  
３Ａ        縦枠材
３Ｂ        横枠材
３Ｃ        横桟
３Ｄ        縦桟
５          被覆シート
３３ａ      シート止着溝の裏面
３５        棚部
８          ボルト
７          バーリング加工部
【図１】
0003110721.tif 000003
【図２】
0003110721.tif 000004
【図３】
0003110721.tif 000005
【図４】
0003110721.tif 000006
【図５】
0003110721.tif 000007
【図６】
0003110721.tif 000008
【図７】
0003110721.tif 000009
【図８】
0003110721.tif 000010
【手続補正書】
【提出日】平成17年4月1日(2005.4.1)
【手続補正１】
【補正対象書類名】明細書
【補正対象項目名】００１２
【補正方法】変更
【補正の内容】
【００１２】
本考案のドア構造体３０、３１は、図１に示すように、シート止着溝３３を備えた縦枠材３Ａと横枠材３Ｂとを各々のシート止着溝３３が共通の片面に向く配置に組み合わせ両材の接合部を緊結して矩形状のドア外周枠を形成し、前記外周枠の面内に、同じくシート止着溝３３を備えた縦桟３Ｄと横桟３Ｃを各々のシート止着溝３３が外周枠と同じ向きに配置し、且つ両材を十字形状に交差させて組み込み相互の接合部を緊結し、且つ外周枠との接合部も緊結して、いわゆる平行四辺形リンク構造を解消し、「田の字形」の枠組み構造を実現しているので、各構成材３Ａ、３Ｂ、３Ｃ及び３Ｄの各接合部をボルト止め等の手段で緊結した程度のいわゆるピン構造であっても、構造的に外力による変形に強く抵抗する拘束リンク構造であるから、変形の懸念は殆ど無い。
よって、図８に示す従来例の横桟３ｃは１本に減らすことも可能であり、構成材の節約、および緊結箇所数を減らして組み立て作業の省力化を図ることができる。
【手続補正２】
【補正対象書類名】明細書
【補正対象項目名】００１３
【補正方法】変更
【補正の内容】
【００１３】
上記のように縦桟３Ｄを配置したので、外周枠の上下辺を形成する横枠材３Ｂの撓みを抑制する効果に優れ、風圧に対する強度及び剛性が大きく向上するので、幅広型ドアでも構造的な安定性を得やすい。また、外周枠の直角度を出しやすく、それを容易に維持できる。
その結果、ドア構造体３０、３１の構成材３Ａ、３Ｂ、３Ｃおよび３Ｄは、可及的に断面形状が小さく軽量な材料を使用することが可能であり、その分軽量で安価なドア構造体３０、３１を提供でき、これを組み立て、運搬、および取り付ける作業を容易に出来る。当該ドア構造体３０、３１が適用される簡易構造物の荷重負担を軽減でき、開閉操作の容易なドアを提供できる。
【手続補正３】
【補正対象書類名】明細書
【補正対象項目名】００２２
【補正方法】変更
【補正の内容】
【００２２】
【図１】本考案に係るドア構造体の実施例１を示した立面図である。
【図２】図１中II部の接合構造を示した斜視図である。
【図３】図１中III部の接合構造を示した斜視図である。
【図４】図１中IV部の接合構造を示した斜視図である。
【図５】図１中Ｖ部の接合構造を示した斜視図である。
【図６】本考案に係るドア構造体の実施例２を示した立面図である。
【図７】ビニールハウスの出入り口部分を示した斜視図である。
【図８】従来のドア構造体の一例を示した斜視図である。